(57)【要約】【課題】本発明は、簡単な構造でありながら、地震等の災害発生時やその他の非常時等に住民を確実に避難場所へ誘導することができる避難誘導対応型照明灯を提供することを目的とする。【解決手段】本発明の避難誘導対応型照明灯は、路面等の近場を照明可能な白色光源と、遠方からの視認が可能な緑色光源とを有し、前記緑色光源は、前記白色光源の光照射範囲外に配設されてなる照明器具を備え、前記緑色光源の点滅により、地震等の災害発生時や非常時等に住民を避難場所へ誘導することを特徴とする。【選択図】図１
2013148986.tif 000002
【特許請求の範囲】
【請求項１】
路面等の近場を照明可能な白色光源と、遠方からの視認が可能な緑色光源とを有し、前記緑色光源は、前記白色光源の光照射範囲外に配設されてなる照明器具を備え、前記緑色光源の点滅により、地震等の災害発生時や非常時等に住民を避難場所へ誘導することを特徴とする避難誘導対応型照明灯。
【請求項２】
地震センサー及び／又は緊急地震速報受信装置をさらに備え、当該地震センサー及び／又は緊急地震速報受信装置による地震発生検知に基づいて、前記緑色光源を点滅させる請求項１記載の避難誘導対応型照明灯。
【請求項３】
前記緑色光源は、複数が一列に配設されてなり、避難場所においては、前記複数の緑色光源を同時又は交互に点滅させ、それ以外の場所においては、前記複数の緑色光源を、住民を前記避難場所へ誘導するよう点滅させる請求項１又は２記載の避難誘導対応型照明灯。
【請求項４】
照明用の白色光源と、該白色光源の光照射範囲外に配設されてなる緑色光源とを備え、前記緑色光源の点滅により、地震等の災害発生時や非常時等に住民を避難場所へ誘導することを可能とする避難誘導用照明器具。
【発明の詳細な説明】
【技術分野】
【０００１】
本発明は、地震等の災害発生時やその他の非常時等に住民を避難場所へ誘導することができる避難誘導対応型照明灯、及び該避難誘導対応型照明灯に使用することが可能な避難誘導用照明器具に関する。
【背景技術】
【０００２】
従来、地震発生時に住民を避難場所へ誘導する手段として、避難誘導標識が知られている（特許文献１参照）。
特許文献１に記載された避難誘導標識は、太陽電池と、該太陽電池によって充電される蓄電池と、支柱上に設置され該蓄電池を電源として点灯する表示部と、振動を検知して信号を出力する振動センサーと、該振動センサーの検知信号により地震振動を判別し地震信号を出力する地震判別回路と、夜間信号を出力する昼夜判別回路と、前記地震信号及び夜間信号に基づいて前記表示部を点灯制御する点灯回路と、前記蓄電池の電圧に基づいて前記地震判別回路を初期状態に復帰させるリセット回路と、を備える。
【０００３】
前記特許文献１に記載された避難誘導標識によれば、夜間の地震発生時に前記表示部を点灯させることで、住民を安全な避難場所へ誘導することができる。
【０００４】
しなしながら、前記特許文献１に記載された避難誘導標識は、前記表示部の文字や矢印等の表示を発光ダイオード等の光源により構成するものであり、該表示部の構造が複雑となる問題がある。
【０００５】
また、前記特許文献１に記載された避難誘導標識は、避難場所や避難方向を文字や矢印等により表示するものであり、遠方の住民や視力の悪い住民にとって表示内容を確認しづらいものでもある。
【０００６】
一方、二色の照射光を同時に照射可能な屋外用照明器具が知られている（特許文献２参照）。
特許文献２に記載された照明器具は、光源として複数のＬＥＤが配設され、地表面から所定距離だけ上方に位置される灯具本体と、前記灯具本体の略垂直下方位置を白色に発光させるとともに、前記灯具本体及び／又はその近傍位置を青色に発光させる照明部を備える。
【０００７】
前記特許文献２に記載された照明器具は、前記灯具本体の略垂直下方位置を白色に明るく照らすことで、人や車両の円滑な通行を確保するとともに、前記灯具本体及び／又はその近傍位置を遠方から青色に視認させることで、犯罪の抑止効果を図るものである。
【０００８】
しかしながら、前記特許文献２に記載された照明器具は、地震等の災害発生時や非常時等に住民を避難場所へ誘導するものではない。
【先行技術文献】
【特許文献】
【０００９】
【特許文献１】特開平８−３１５２６１号公報
【特許文献２】特許第４２１０７０７号公報
【発明の概要】
【発明が解決しようとする課題】
【００１０】
そこで、本発明は、簡単な構造でありながら、地震等の災害発生時やその他の非常時等に住民を確実に避難場所へ誘導することができる避難誘導対応型照明灯、及び該避難誘導対応型照明灯に使用することが可能な避難誘導用照明器具を提供することを目的とする。
【課題を解決するための手段】
【００１１】
上記目的を達成するため、本発明の避難誘導対応型照明灯は、路面等の近場を照明可能な白色光源と、遠方からの視認が可能な緑色光源とを有し、前記緑色光源が、前記白色光源の光照射範囲外に配設されてなる照明器具を備え、前記緑色光源の点滅により、地震等の災害発生時や非常時等に住民を避難場所へ誘導することを特徴とする。
【００１２】
本発明の避難誘導対応型照明灯は、地震センサー及び／又は緊急地震速報受信装置をさらに備え、当該地震センサー及び／又は緊急地震速報受信装置による地震発生検知に基づいて、前記緑色光源を点滅させることが好ましい。
【００１３】
本発明の避難誘導対応型照明灯は、前記緑色光源は、複数が一列に配設されてなり、避難場所においては、前記複数の緑色光源を同時又は交互に点滅させ、それ以外の場所においては、前記複数の緑色光源を、住民を前記避難場所へ誘導するよう点滅させることが好ましい。
【００１４】
本発明の避難誘導用照明器具は、照明用の白色光源と、該白色光源の光照射範囲外に配設されてなる緑色光源とを備え、前記緑色光源の点滅により、地震等の災害発生時や非常時等に住民を避難場所へ誘導することを可能とするものである。
【発明の効果】
【００１５】
避難誘導用の標識である誘導灯は、一般に緑色で表示されるところ、本発明の避難誘導対応型照明灯は、近場を照明可能な白色光源とともに、遠方から視認可能な緑色光源を有する照明器具を備えるため、照明灯としての機能に加え、誘導灯としての機能を併せ持つ。
したがって、本発明の避難誘導対応型照明灯は、前記緑色光源が点滅することにより避難誘導用の標識としての機能を発揮し、簡単な構造でありながら、地震等の災害発生時やその他の非常時等に住民を確実に避難場所へ誘導することができる。
【００１６】
本発明の避難誘導対応型照明灯は、地震センサー及び／又は緊急地震速報受信装置をさらに備え、当該地震センサー及び／又は緊急地震速報受信装置による地震発生検知に基づいて、前記緑色光源を点滅させることとすれば、地震発生時に住民を確実に避難場所へ誘導することができる。
また、本発明の避難誘導対応型照明灯は、緊急地震速報受信装置により地震発生を検知するものとすることで、他の地域で地震が発生した場合にも住民を避難場所へ誘導することができるため、津波等の災害に対しても住民の安全を確保することができる。
【００１７】
本発明の避難誘導対応型照明灯は、前記緑色光源が、複数が一列に配設されてなり、避難場所においては、前記複数の緑色光源を同時又は交互に点滅させ、それ以外の場所においては、前記複数の緑色光源を、住民を前記避難場所へ誘導するよう点滅させることとすれば、住民に避難場所を明示できるとともに、住民を当該避難場所に誘導することができる。
【００１８】
本発明の避難誘導用照明器具は、照明用の白色光源とともに、該白色光源の光照射範囲外に配設されてなる緑色光源を備えるので、前記緑色光源が点滅することにより避難誘導用の標識としての機能を発揮し、簡単な構造でありながら、地震等の災害発生時やその他の非常時等に住民を確実に避難場所へ誘導することが可能である。
【図面の簡単な説明】
【００１９】
【図１】本発明の実施の形態における避難誘導対応型照明灯の全体側面図。
【図２】本発明の実施の形態における避難誘導対応型照明灯において使用する避難誘導用照明器具の側面図。
【図３】図２に示す避難誘導用照明器具の底面図。
【図４】図２に示す避難誘導用照明器具の正面図。
【図５】避難誘導用照明器具の他の例の側面図。
【図６】本発明の実施の形態における避難誘導対応型照明灯の動作の概要を示す説明図。
【発明を実施するための形態】
【００２０】
本発明の実施の形態について図面を参照しながら説明する。
【００２１】
図１は、本発明の実施の形態における避難誘導対応型照明灯の全体側面図を示す。
本実施の形態における避難誘導対応型照明灯は、地表面に対し立設される支柱１と、該支柱１の上部に配設される電源ボックス２と、該電源ボックス２の一側面に配設される照明器具３と、前記電源ボックス２の上部に配設される太陽電池パネル４と、を備える。
前記支柱１には、一般の街路灯、防犯灯、その他の照明灯に用いられるものと同様のものを利用できる。また、前記支柱１として電柱や道路標識の支柱などを利用することもできる。
【００２２】
図２は前記照明器具３の側面図、図３は前記照明器具３の底面図、図４は前記照明器具の正面図をそれぞれ示す。
前記照明器具３は、例えばステンレス等の光不透過性材料からなる平面視四角形の箱状のケース３１からなり、該ケース３１内には白色ＬＥＤ素子３２が４個配設されている。
前記照明器具３は、前記ケース３１の下面にアクリル樹脂等の光透過性材料からなる窓部３４が形成されており、前記ケース３１の内側であって少なくとも天井面に光反射面が形成されることで、前記白色ＬＥＤ素子３２の発光により前記ケース３１の下面側が照明可能となっている。
【００２３】
また、前記照明器具３は、前記ケース３１の前面であって前記白色ＬＥＤ素子３２の光照射範囲外に緑色ＬＥＤ素子３３が一列に３個配設されており、該緑色ＬＥＤ素子３３の発光が遠方から視認可能となっている。
【００２４】
ここで、前記緑色ＬＥＤ素子３３の発光色は、純粋な緑色に加え、いわゆる緑色系（緑青、青緑、黄緑）を含むものであり、そのピーク波長は、大凡４８０〜５８０ｎｍ、好ましくは４９０〜５８０ｎｍ、より好ましくは５００〜５６０ｎｍである。
一般に、緊急時の通報には赤色が用いられるが、赤色は色弱者にとって見えにくいことが多い。また、避難誘導用の標識である誘導灯は緑色で表示される。
したがって、本発明の実施の形態における避難誘導対応型照明灯において、緑色ＬＥＤ素子を避難誘導用の標識として用いることで、全ての住民に対する避難誘導の有効性を高めることができる。
【００２５】
図５は、避難誘導用照明器具の他の例の側面図を示す。
当該照明器具は、光不透過性材料からなるケースが平面視略円形の箱状であり、緑色ＬＥＤ素子がその前方（図面左側）に一列に配設されてなる点で、図２乃至図４に示す前記照明器具３と異なる。
このように、本実施の形態における避難誘導対応型照明灯で使用する照明器具は、平面視四角形以外の形状のケースからなるものでもよく、その外部形状は任意である。
【００２６】
図６は、本発明の実施の形態における避難誘導対応型照明灯の動作の概要を示す説明図である。
図６に示すように、前記電源ボックス２は、前記照明器具３に電力を供給する電源装置２１、周囲環境の明るさを検知する明暗センサー２２、地震の発生を検知する地震センサー２３及び緊急地震速報受信装置２４、前記明暗センサー２２からの信号に基づいて前記照明器具３を動作させ、また前記地震センサー２３及び緊急地震速報受信装置２４の少なくとも一方の信号に基づいて前記照明器具３を動作させる制御装置２５を備える。
前記電源装置２１には、商用電源を用いる。また、前記電源装置には、前記太陽電池パネル４が日中発電した電力を蓄電するバッテリー等を備える。
【００２７】
本実施の形態における避難誘導対応型照明灯において、前記明暗センサー２２が、周囲環境が所定以上の暗さになったことを検知すると、該明暗センサー２２からの信号に基づいて、前記制御装置２５は、前記白色ＬＥＤ素子３２と緑色ＬＥＤ素子３３を点灯させる。
このとき、前記照明器具３は、前記白色ＬＥＤ素子３２の発光により前記ケース３１下面の窓部３４から路面等の近場を照明し、前記ケース３１前面に配設される緑色ＬＥＤ素子３３の発光が遠方から視認される状態となる。
したがって、本実施の形態における避難誘導対応型照明灯は、前記明暗センサー２２による検知により、前記白色ＬＥＤ素子３２に加え、緑色ＬＥＤ素子３３を点灯させることで、平常時から、住民の災害に対する意識を高めることができる。
【００２８】
また、本実施の形態における避難誘導対応型照明灯において、前記地震センサー２３及び緊急地震速報受信装置２４の少なくとも一方が、地震の発生を検知すると、該地震検知信号に基づいて、前記制御装置２５は、少なくとも前記緑色ＬＥＤ素子３３を点滅させる。
したがって、本実施の形態における避難誘導対応型照明灯は、前記地震センサー２３及び緊急地震速報受信装置２４の少なくとも一方による地震発生の検知により、前記緑色ＬＥＤ素子３３を点滅させることで、住民に地震の発生を早期に知らせるとともに、避難場所へ誘導することができる。
【００２９】
本実施の形態における避難誘導対応型照明灯において、地震発生時における前記緑色ＬＥＤ素子３３の点滅パターンは、例えば、避難場所においては、前記３個の緑色ＬＥＤ素子３３の全部を同時又は交互に点滅し、それ以外の場所においては、前記３個の緑色ＬＥＤ素子３３を、住民を前記避難場所へ誘導するよう順次点滅するものとすることができる。
このように、本実施の形態における避難誘導対応型照明灯は、設置場所により、前記緑色ＬＥＤ素子３３の点滅パターンを変化させることで、高台などへの住民の避難誘導性を高めることができる。
【００３０】
なお、本実施の形態における避難誘導対応型照明灯において使用する照明器具の各ＬＥＤ素子の数は、上記に限るものでなく適宜設定することができる。また、前記緑色ＬＥＤ素子の配置も上記各ケース３１，３５の前面や前方に限るものでなく、例えば側面全体に配置することができる。本実施の形態における避難誘導対応型照明灯は、前記緑色ＬＥＤ素子をケース側面の全体に配置することとすれば、全ての方向から前記緑色ＬＥＤ素子３３の発光を確認することができるため、標識としての機能が向上し、住民の避難誘導性をより一層高めることができる。
【００３１】
本発明の実施の形態おける避難誘導対応型照明灯は、少なくとも電源ボックスと照明器具を備えるものであればよく、当該電源ボックスと照明器具も、少なくとも両者が電気的に接続されるものであればよい。
また、本発明の実施の形態おける避難誘導対応型照明灯は、前記電源ボックスと照明器具を必ずしも支柱上に設置する必要はなく、例えば建造物などの高所へ設置することとしてもよい。
さらに、前記電源ボックスのバッテリーには、商用電源から電力を蓄電することとしてもよい。
【００３２】
本発明の実施の形態における避難誘導対応型照明灯は、地震センサー２３と緊急地震速報受信装置２４の両方を備えるものであるが、何れか一方を備えるものでもよい。
【００３３】
本発明の実施の形態における避難誘導対応型照明灯で使用する照明器具は、緑色光源として、緑色ＬＥＤ素子３３を利用するものであるが、例えば白色光源とカラーフィルタを組み合わせて緑色を発光させるもの等を利用することもできる。
本発明の実施の形態における避難誘導対応型照明灯で使用する照明器具は、光源としてＬＥＤ素子を配設するものであるが、有機ＥＬ（有機エレクトロルミネッセンス）素子やその他の光源を配設できることはいうまでもない。
【００３４】
本発明は、上記実施の形態に限るものでなく、発明の範囲を逸脱しない限りにおいて、その構成を適宜変更できることはいうまでもない。
【産業上の利用可能性】
【００３５】
本発明の避難誘導対応型照明灯は、簡単な構造でありながら、地震等の災害発生時やその他の非常時等に住民を確実に避難場所へ誘導することができるため、極めて有用である。
【符号の説明】
【００３６】
１      支柱
２      電源ボックス
２１      電源装置
２２      明暗センサー
２３      地震センサー
２４      緊急地震速報受信装置
２５      制御装置
３      照明器具
３１      ケース
３２      白色ＬＥＤ素子
３３      緑色ＬＥＤ素子
３４      窓部
４      太陽電池パネル
【図１】
2013148986.tif 000003
【図２】
2013148986.tif 000004
【図３】
2013148986.tif 000005
【図４】
2013148986.tif 000006
【図５】
2013148986.tif 000007
【図６】
2013148986.tif 000008